(57)【要約】【課題】本発明は、専用の解除キーや暗証番号等を必要とせず、盗難等に対する高い安全性を提供でき、かつ、公共の駐車場等で誰もが簡単に利用可能な異常監視装置を提供することを課題とする。【解決手段】この発明の異常監視装置は、駐車スペースの床面に配設され、この床面の少なくとも一部を構成する計圧面にかかる圧力を計測する計圧手段と、この駐車スペースの利用者の個人ＩＤを入力するための入力手段と、個人ＩＤを記憶する記憶手段と、記憶手段に個人ＩＤが記憶されているときに計圧手段で測定される計圧値の変化を監視する異常監視手段とを備え、駐車スペース内の車輌の異常を監視する。【選択図】図２
2006190020.tif 000002
【特許請求の範囲】
【請求項１】
駐車スペースの床面に配設され、この床面の少なくとも一部を構成する計圧面にかかる圧力を計測する計圧手段と、
この駐車スペースの利用者の個人ＩＤを入力するための入力手段と、
前記個人ＩＤを記憶する記憶手段と、
前記記憶手段に個人ＩＤが記憶されているときに前記計圧手段で測定される計圧値の変化を監視する異常監視手段と
を備え、駐車スペース内の車輌の異常を監視することを特徴とする異常監視装置。
【請求項２】
前記計圧値の変化の監視を、前記計圧手段で測定される計圧値と所定の閾値とを比較することにより行うことを特徴とする請求項１記載の異常監視装置。
【請求項３】
異常監視装置が異常監視を行う監視状態と、異常監視を行わない待機状態とを切替え管理する状態管理手段をさらに備え、この状態管理手段は、前記記憶手段に個人ＩＤが記憶されていないときは待機状態を保持し、前記記憶手段に個人ＩＤが記憶されると監視状態に切り替えることを特徴とする請求項１または２記載の異常監視装置。
【請求項４】
前記状態管理手段が待機状態のときに前記入力手段から個人ＩＤが入力されると、その個人ＩＤを前記記憶手段に記憶させる記憶手段管理手段を備えることを特徴とする請求項３記載の異常監視装置。
【請求項５】
前記記憶手段が個人ＩＤを記憶しているときに前記入力手段から個人ＩＤが入力されると、その個人ＩＤを前記記憶手段に記憶されている個人ＩＤと照合し、照合結果が同一であれば、前記記憶手段が記憶している個人ＩＤを消去することを特徴とする請求項３記載の異常監視装置。
【請求項６】
前記異常監視手段は、前記計圧手段で測定される計圧値の変化量が所定の閾値を超えると、異常信号を発報することを特徴とする請求項１ないし５のいずれか一項記載の異常監視装置。
【請求項７】
前記異常監視手段は、前記状態管理手段が監視状態に切り替わると、そのときの計圧値を基準値として前記所定の閾値を設定することを特徴とする請求項６記載の異常監視装置。
【請求項８】
前記計圧手段で測定される計圧値が所定の閾値を超えると、異常を報知する異常報知手段を備えることを特徴とする請求項１ないし７のいずれか一項記載の異常監視装置。
【請求項９】
前記報知手段は、異常を電話あるいは電子メールで利用者に報知することを特徴とする請求項８記載の異常監視装置。
【請求項１０】
前記入力手段は、ＩＣカードの読み取り装置、バーコードリーダ、キーボード、または、利用者の生体情報識別装置のうちのいずれかであることを特徴とする請求項１ないし９のいずれか一項記載の異常監視装置。
【発明の詳細な説明】
【技術分野】
【０００１】
本発明は車上荒らしや車輌盗難等の異常を監視する装置に関し、専用の解除キーを必要とせず、公共の駐車場等で誰もが簡単に利用可能な異常監視装置に関する。
【背景技術】
【０００２】
車上荒らしや車輌盗難などを検出する装置としては、車輌に振動感知センサやドア開錠センサなどを取付け、装置が監視状態であるときにこれらのセンサが変化を検出すると、車輌に何らかの異常が発生したとしてクラクションを鳴らすというものがある。
【０００３】
また、荷重の変化を検出する検出器をタイヤの下に配置し、監視状態が正しく解除されない状態で所定値以上の荷重の変化を検出したときに、警報を作動させるというものがある（例えば、特許文献１参照）。
【０００４】
また、車輪止めに赤外線あるいは超音波、金属センサによって車輌を検出する検出器を具備し、監視状態が正しく解除されない状態で検出器が車輌を検出できなくなった時に警報を作動させるというものがある（例えば、特許文献２参照）。
【０００５】
【特許文献１】特開平７−１９８４６１号公報
【特許文献２】特開平８−１６７０８１号公報
【発明の開示】
【発明が解決しようとする課題】
【０００６】
利用者が装置の盗難防止機能を設定または解除する際には、各自の異常監視装置に専用の鍵もしくは暗証番号を設定する必要があるため、その異常監視装置、鍵または暗証番号の所有者しかその盗難防止機能を利用することができないという課題があった。
【０００７】
また、異常監視装置を未装着の車輌の所有者が異常監視装置を装着する場合は、アフターマーケットで異常監視装置を購入するなどして個々の車輌毎に装着する必要があり、多額の費用が必要であるという課題があった。
【０００８】
また、従来の盗難検出装置の多くは、車輌に振動感知センサやドア不正開錠の検出センサを装着しなければ、車輌の不正移動や車上荒らしを検出することができないという課題があった。
【０００９】
本発明は、専用の解除キーや暗証番号等を必要とせず、盗難等の異常に対する高い安全性を提供でき、かつ、公共の駐車場等で誰もが簡単に利用可能な異常監視装置を提供することを目的とする。
【課題を解決するための手段】
【００１０】
この発明の異常監視装置は、駐車スペースの床面に配設され、この床面の少なくとも一部を構成する計圧面にかかる圧力を計測する計圧手段と、この駐車スペースの利用者の個人ＩＤを入力するための入力手段と、個人ＩＤを記憶する記憶手段と、記憶手段に個人ＩＤが記憶されているときに計圧手段で測定される計圧値の変化を監視する異常監視手段とを備え、駐車スペース内の車輌の異常を監視する。
【発明の効果】
【００１１】
この発明の異常監視装置は、駐車スペースの床面に配設され、この床面の少なくとも一部を構成する計圧面にかかる圧力を計測する計圧手段と、この駐車スペースの利用者の個人ＩＤを入力するための入力手段と、個人ＩＤを記憶する記憶手段と、記憶手段に個人ＩＤが記憶されているときに計圧手段で測定される計圧値の変化を監視する異常監視手段とを備え、駐車スペース内の車輌の異常を監視するので、異常監視装置に専用の鍵を準備する必要がなく、不特定の利用者が盗難防止機能を同一手順で利用でき、ショッピングセンターなどの公共の駐車場に設置すれば、買い物客等が手軽に利用できる異常監視装置を提供することができる。
【発明を実施するための最良の形態】
【００１２】
図１は、本発明の異常監視装置の構成を示す図である。
本発明の異常監視装置は、駐車場の各駐車スペース１の床面に配設された計圧手段である計圧シート２と、パーキングメータ３に内蔵される監視装置本体４を備える。
計圧シート２は、圧電素子を利用したシート状の計圧素子であり、シート上面の計圧面２Ａにかかる荷重の変化に応じた検出電圧を発生する。この計圧シートは後述する監視装置本体４に接続されている。
【００１３】
図２は、本発明の異常監視装置の監視装置本体４の構成を示すブロック図である。
この監視装置本体４は、読み取り装置１１、メモリ１２、状態管理部１３、メモリ管理部１４、異常監視部１５及び異常報知装置１６を備える。
読取り装置１１は、駐車スペース１の利用者の個人ＩＤ（Ｉｄｅｎｔｉｆｉｃａｔｉｏｎ）を入力するための入力手段であり、利用者の個人ＩＤ情報を持つＩＣ（Ｉｎｔｅｇｒａｔｅｄ  Ｃｉｒｃｕｉｔ）カードやＩＣカード内蔵の携帯電話などから非接触で個人ＩＤ情報を読取り、読取った情報をメモリ管理部１４に入力する。このようなＩＣカードとして、例えばＦｅｌｉｃａ（登録商標）カードを用いることができる。
【００１４】
メモリ１２は、読取り装置１１が読取った個人ＩＤを記憶する記憶手段である。
状態管理部１３は、異常監視装置が異常監視を行う監視状態と、異常監視を行わない待機状態とを切替え管理する状態管理手段である。この状態管理部１３は、メモリ１２内における個人ＩＤの有無をチェックし、メモリ１２に個人ＩＤが記憶されていないときは待機状態を保持し、メモリ１２に個人ＩＤが記憶されると監視状態に切り替える。
【００１５】
メモリ管理部１４は、読取り装置１１から個人ＩＤが入力された場合に、状態管理部１３の状態（監視状態か待機状態か）をチェックし、待機状態であれば読取り装置１１が読取った利用者の個人ＩＤをメモリ１２に書込み、監視状態であれば読取り装置１１が読取った利用者の個人ＩＤと、メモリ１２に記憶されている個人ＩＤとを比較し、これらの情報が一致すればメモリ１２の内容を消去する記憶手段管理手段である。
メモリ１２内の個人ＩＤが消去されると、状態管理部１３は、監視状態から待機状態に切り替える。
【００１６】
異常監視部１５は、状態管理部１３の状態を定期的にチェックする。チェックの結果、状態管理部１３が監視状態にある場合は、計圧値の変化を監視する。
監視状態において計圧シート２の計圧値の変化量が所定の閾値を超えた場合は、計圧シート２の上に駐車中の車輌に異常が発生したと判断し、異常検出信号を異常報知装置１６に伝達する。計圧値の変化の監視は、例えば、計圧シート２で測定される計圧値を所定の閾値と比較することにより行えばよい。
異常報知装置１６は異常監視部１５が発生した異常検出信号を受け、ブザー音をスピーカから発報して周辺に異常を通知する異常報知手段。
【００１７】
図３は、本発明の異常監視装置における監視状態／待機状態の切替制御処理の流れを示すフローチャートである。
図３に示すように、ステップＳ３０１で読み取り装置１１で個人ＩＤが読み取られると、フローはステップＳ３０２に進行し、メモリ管理部１４は、メモリ１２で個人ＩＤが記憶済か否かを判定する。
【００１８】
ステップＳ３０２において、個人ＩＤが記憶されていなかった場合は、フローはステップＳ３０３に進行し、メモリ管理部１４は、個人ＩＤをメモリ１２に書き込む（記憶させる）。また、このときメモリ管理部１４は、状態管理部１３に個人ＩＤをメモリ１２に書き込んだことを伝達する。
【００１９】
状態管理部１３は、個人ＩＤがメモリ１２に記憶されたことをメモリ管理部１４から受けると、盗難防止監視対象である車輌が駐車スペースに駐車されたものと認識し、ステップＳ３０４において監視状態に切り替わる。また、このとき、状態管理部１３は、監視状態に切り替わったことを異常監視部１５に伝達する。
以上のようにして、利用者が駐車スペースに車輌を駐車してから異常監視装置が監視状態に切り替わるまでのフローは終了する。
【００２０】
一方、ステップＳ３０２において、個人ＩＤが記憶されていた場合は、フローはステップＳ３０５に進行する。このステップＳ３０５では、メモリ管理部１４は、ステップＳ３０１で読み込んだ個人ＩＤと、メモリ１２に記憶されているＩＤが同一であるか否か照合する。
【００２１】
同一である場合は、フローはステップＳ２０６に進行し、メモリ管理部１４は、メモリ１２内に記憶されている個人ＩＤを消去する。また、このときメモリ管理部１４は、状態管理部１３に個人ＩＤをメモリ１２から消去したことを伝達する。
【００２２】
状態管理部１３は、個人ＩＤがメモリ１２から消去されたことを状態管理部１３から受けると、続くステップＳ３０７において待機状態に切り替わる。本発明の異常監視装置は、この待機状態では、監視を行わない。
【００２３】
なお、ステップＳ３０５で読み込んだ個人ＩＤとメモリ１２に記憶された個人ＩＤが一致しない場合は、フローは終了する。不正利用者を淘汰するために、この経路のフローが所定回数繰り返された場合は（すなわち、個人ＩＤの不一致が所定回数続いた場合は）アラームを発報するように構成してもよい。
以上のようにして、利用者が駐車スペースに車輌を駐車してから異常監視装置が監視状態に切り替わるまでのフローは終了する。
【００２４】
図４は、本発明の異常監視装置における監視状態における異常通知処理の制御処理を示すフローチャートである。
異常監視部１５は、状態管理部１３が監視状態に切り替わったことを受けると（ステップＳ３０４参照）、ステップＳ４０１において計圧シート２を用いた計圧処理を開始する。具体的には、計圧シートから送信される圧力値を監視する。
【００２５】
続くステップＳ４０２では、異常監視部１５は、計圧シートから送信される圧力値が所定の閾値を超えないか否かを判定する。ここで、所定の閾値は、例えば、状態管理部１３が監視状態に切り替わったことを受けた時に計測した圧力に、日本国内で用いる場合は、日本人の成人の平均体重の半分の値を圧力値に換算した値を付加した値に設定すればよい。
【００２６】
異常監視部１５は、このステップＳ４０２において、圧力値が所定の閾値を超えたと判定した場合は、ステップＳ４０３において、そのときの状態管理部１３が監視状態にあるかを判定する。
状態管理部１３が監視状態であれば、異常監視部１５は異常通知信号を異常報知装置１６に送信する。これにより、異常報知装置１６は、異常発生を報知するアラームや警報灯の点灯を行う。
【００２７】
一方、ステップＳ４０２において、圧力が所定の閾値を超えていないと判定した場合は、フローは終了する。
また、ステップＳ４０３において、状態管理部１３が監視状態でない判定した場合も、異常監視部１５は、フローを終了する。
以上のようにして、計圧開始処理から異常通知処理が行われる。
【００２８】
以上、本発明の盗難防止によれば、異常監視装置に専用の鍵を準備する必要がなく、不特定の利用者が盗難防止機能を同一手順で利用でき、ショッピングセンターなどの公共の駐車場に設置すれば、買い物客等が手軽に利用できる異常監視装置を提供することができる。また、駐車スペース側に異常監視装置を配設するので、車輌自体に何ら装置を付加する必要がなく、異常監視装置を装着しない車輌でも盗難防止管理を行うことができる。また、本発明の異常監視装置を個人的に所有して自己の駐車スペースにおいて自車輌のみならず不特定の車輌の盗難防止管理を容易に行うことができる。
【００２９】
また、計圧シート２を用いているので、車輌の移動を検出できるだけでなく、不審者が車輌に乗り込んで物色している場合、もしくは車輌内の物品が持ち去られる場合などについても一つの装置で監視することができる。
【００３０】
また、非接触ＩＣカードの読取り装置１１を備えるので、例えばＦｅｌｉｃａカードを個人ＩＤ情報の入力手段とした場合に駐車時にＦｅｌｉｃａカードを読取り手段にかざした時間と出庫時にＦｅｌｉｃａカードを読取り手段にかざした時間をそれぞれ読取れば、優良駐車場での課金処理も同時に行うことができ利用者、サービス側双方の手間が省ける。
【００３１】
また、メモリ１２に個人ＩＤが記憶されていないときは待機状態を保持し、メモリ１２に個人ＩＤが記憶されると監視状態に切り替えて管理する状態管理部１３を備えるので、車輌が駐車スペースに入庫する際に待機状態とすることで、異常監視装置の誤動作を防ぐことができると共に、使い勝手を向上させることができる。
【００３２】
また、状態管理部１３が待機状態のときに読み取り装置１１から個人ＩＤが入力されると、その個人ＩＤをメモリ１２に記憶させるメモリ管理部１４を備えるので、異常監視装置の誤動作を防ぐことができると共に、使い勝手を向上させることができる。
【００３３】
また、監視状態において読み取り装置１１から個人ＩＤが入力されると、その個人ＩＤをメモリ１２に記憶されている個人ＩＤと照合し、照合結果が同一であれば、メモリ１２が記憶している個人ＩＤを消去するので、不正利用者による車輌の盗難などを未然に防ぐことができる安全性の高い異常監視装置を提供することができる。
【００３４】
また、異常監視部１５は、計圧シート２で測定される計圧値の変化量が所定の閾値を超えると、異常信号を発報するので、計圧値の変化を用意かつ確実に把握することができ、安全性の高い異常監視装置を提供することができる。
【００３５】
また、異常監視部１５は、状態管理部１３が監視状態に切り替わると、そのときの計圧値を基準値として所定の閾値を設定するので、容易かつ確実に閾値を設定することができ、安全性の高い異常監視装置を提供することができる。
【００３６】
また、計圧シート２で測定される計圧値が所定の閾値を超えると、異常を報知する異常報知装置１６を備えるので、利用者あるいは駐車スペースの周囲にいる者に異常の発生を有効的に伝達することができ、安全性の高い異常監視装置を提供することができる。
【００３７】
また、異常報知装置１６は、異常を電話あるいは電子メールで利用者に報知するので、利用者が自己の車輌を駐車した駐車スペースの付近にいない場合でも、遠隔的に利用者に異常を報知することができる。
【００３８】
以上の説明では、ＩＣカードがＦｅｌｉｃａカードである場合について例示的に説明したが、上述のＩＣカードの代わりにＩＣカード内蔵携帯電話を用いてもよい。
すなわち、読取り装置１１は利用者の個人ＩＤ情報をもつＩＣカード内蔵携帯電話から非接触で個人ＩＤ情報と利用者の携帯電話番号を読み取り、メモリ１２は読取り装置１１が読取った個人ＩＤと携帯電話番号を記録するように構成してもよい。
【００３９】
また、同様にして、非接触型の読み取り装置１１及びＦｅｌｉｃａカードの代わりに、接触型の読み取り装置及び通常のＩＣカードを用いてもよい。この場合は、ＩＣカードとして、例えば、クレジットカードやＩＣカード型運転免許証等を用いることができる。
【００４０】
また、非接触型の読み取り装置１１の代わりに、バーコードリーダであってもよい。この場合は、ＩＣカードの代わりに、バーコード付の駐車券を用いることができる。例えば、駐車場の入り口で受け取った駐車券を用いて、各駐車スペースに駐車する際に、パーキングメータ３のバーコードリーダに駐車券を翳すことによって異常監視装置を監視状態に設定することができる。容易な構成で安全性の高い異常監視装置を提供することができる。
【００４１】
また、非接触型の読み取り装置１１の代わりに、入力端末を設け、利用者がこの入力端末を利用してＩＤを入力するようにしてもよい。容易な構成で安全性の高い異常監視装置を提供することができる。
【００４２】
また、非接触型の読み取り装置１１の代わりに、利用者の指紋や網膜等の生体情報を読み取る装置を用いてもよい。この場合は、利用者の指紋や網膜のパターンを個人ＩＤとして用いることになり、安全性の高い異常監視装置を提供することができる。
【００４３】
また、異常報知装置１６に電話モジュールとアンテナを付加すれば、異常監視部１５が異常を検出した場合に、利用者が持つ携帯電話に通知することができる。通知の仕方としては、テープ音声を流すこともできる。
【００４４】
また、電話ではなく、利用者の電子メールアドレスに異常通知のメッセージを電子メールで送信してもよい。電子メールの形式は、サーバ経由のインターネット形式のものでもよいし、電話回線経由のものでもよい。この場合、異常報知装置１６にいずれか形式の電子メールを送信するための装置を付加すればよい。また、電話と電子メールの両方を用いて利用者に異常を報知するようにしてもよい。
【００４５】
また、以上の説明では、計圧シート２で測定した計圧値の変化で異常監視を行う場合について説明したが、計圧値が所定の閾値を所定時間以上継続したか、あるいは、計圧値の変化時における周波数が所定値を下回る等の判定手法を追加すれば、さらに判定精度を向上させることができる。例えば、風やトラックの通過などの振動を盗難や車上荒らしと誤検出することを減少させることができる。
【００４６】
さらに、利用者が駐車時に個人ＩＤを入力する際、例えば個人ＩＤとその読取時刻とで構成する暗証番号を利用者に表示し、利用者が出庫時に監視状態を解除するために個人ＩＤを再度入力する際に、駐車時に生成された読取時刻とで構成する暗証番号を同時に入力しなければ監視状態が解除されないようにすれば、不審者が利用者のＩＣカードなどを盗んで不正に監視状態を解除することを防止することができる。
【００４７】
なお、本発明の異常監視装置を公共の駐車場ではなく自宅の駐車スペースに設置することも容易に実現できる。個人の車輌や家族の車輌についても同様の盗難防止効果を得ることができる。
【図面の簡単な説明】
【００４８】
【図１】本発明の異常監視装置の構成を示す図である。
【図２】本発明の異常監視装置の監視装置本体４の構成を示すブロック図である。
【図３】本発明の異常監視装置における監視状態／待機状態の切替制御処理の流れを示すフローチャートである。
【図４】本発明の異常監視装置における監視状態における異常通知処理の制御処理を示すフローチャートである。
【符号の説明】
【００４９】
１  駐車スペース、２  計圧シート、２Ａ  計圧面、３  パーキングメータ、４  監視装置本体、１１  読み取り装置、１２  メモリ、１３  状態管理部、１４  メモリ管理部、１５  異常監視部、１６  異常報知装置。
【図１】
2006190020.tif 000003
【図２】
2006190020.tif 000004
【図３】
2006190020.tif 000005
【図４】
2006190020.tif 000006